(57)【特許請求の範囲】
【請求項１】
表面に転写媒体を貼着した帯状フィルムを筐体内から送り出し、被転写体に対して転写媒体を転写し、被転写体に転写媒体を転写した後の帯状フィルムを前記筐体内に収納する転写具において、前記筐体内に枢支され、転写媒体を貼着した帯状フィルムを巻装した送出軸部と、前記筐体の一端部に形成された開口に、前記送出軸部と平行に枢支され、該送出軸部から転写媒体を貼着した帯状フィルムを送り出して被転写体に対して転写媒体を転写すると共に該帯状フィルムを該筐体内に送る転写ローラと、前記送出軸部及び前記転写ローラと平行に枢支され、かつ該送出軸部より該転写ローラ側に位置し、前記転写ローラを通過した帯状フィルムを巻き取る巻取軸部とを備え、前記転写ローラと前記巻取軸部とにベルトを架けたことを特徴とする転写具。
【発明の詳細な説明】
【０００１】
【発明の属する技術分野】
本発明は、表面に転写媒体を貼着した帯状フィルムを筐体内から送り出し、被転写体に対して転写媒体を転写し、被転写体に転写媒体を転写した後の帯状フィルムを筐体内に収納する転写具に係り、転写媒体の容量を減らすことなく、また、使い勝手を損なうこともなく、他の筆記文房具と共に筆箱等に収納可能とした転写具に関するものである。
【０００２】
【従来の技術】
近年、例えば液状の修正液や液状の糊に代って、適量を容易に使用できる使い易さなどといった利点から、白色の転写媒体を貼着した帯状フィルムを筐体内から送り出し、紙などの被転写体に対して転写媒体を転写して、被転写体に記された修正個所を前記白色の転写媒体でもって修正する転写具や、また、両面に粘着性を呈する塗膜を転写媒体として貼着した帯状フィルムを、同じく筐体内から送り出し、紙などの被転写体と他の貼着体とを貼り付ける転写具が、普及してきている。
【０００３】
例えば上記した両面に粘着性を呈する塗膜を使用する転写具は、図２に示すような構成となっている。図２に示す転写具３１は、筐体３２内に、表面に例えば塗膜Ｐが貼着された状態の帯状フィルムＦを巻装した送出リール３３と、この送出リール３３から送り出された帯状フィルムＦを巻き取る巻取リール３４とを枢支し、送出リール３３から巻取リール３４に至る該筐体３２の一端部に開口３２ａが形成され、この開口３２ａに、帯状フィルムＦを送出リール３３から巻取リール３４へと送ると共に被転写体Ｔに対して塗膜Ｐを転写する転写ローラ３５を露出した状態で設けている。
【０００４】
さらに、送出リール３３及び巻取リール３４には、その軸部外周にギヤ３３ａ及びギヤ３４ａが設けられ、これらギヤ３３ａ及びギヤ３４ａ間には、送出リール３３における帯状フィルムＦの送出方向の回転に伴って、巻取リール３４を帯状フィルムＦの巻取方向に回転させるため、該送出リール３３の回転に連動して該巻取リール３４を巻取方向に回転させる連動ギヤ３６が互いに噛合している。
【０００５】
なお、図２には、被転写体と他の貼着体とを貼り付ける塗膜Ｐを使用する転写具３１を示したが、被転写体の記載を修正する白色の転写媒体を使用する転写具においても転写媒体が異なるだけで同様の構造となっている。
【０００６】
【発明が解決しようとする課題】
しかしながら、従来の転写具は、上記したように転写媒体を貼着した帯状フィルムを送り出し、巻き取るために、ギヤ、並びにこれらのギヤを連動させる連動ギヤが設けられていたので、その分、これらを収納する筐体が厚み方向にもまた送出リール及び巻取リールの軸方向にも大きくなり、筆記具と共に例えば筆箱などに収納することができないといった不具合があった。
【０００７】
そこで、送出リールや巻取リール、これらのギヤ、及び連動ギヤの径を小さくして、筐体自体を小さくするといったことも考えられるが、どうしても送出リールや巻取リール、これらのギヤ、及び連動ギヤ部材を有する以上、筐体の小型化にも限界があり、また、筐体を小さくすることは、すなわち、転写媒体を貼着した帯状フィルムの容量を減少させることとなり、単に筐体を小さくするのみでは全く無意味である。
【０００８】
本発明は、上記の問題を解決するものであり、転写媒体の容量を減らすことなく、また、使い勝手も損なうことなく、小型化を図り、従って他の筆記文房具と共に筆箱などに収納することができる転写具を提供することを目的とする。
【０００９】
【課題を解決するための手段】
上記の目的を達成するために、本発明は、筐体内に枢支され、転写媒体を貼着した帯状フィルムを巻装した送出軸部と、筐体の一端部に形成された開口に、送出軸部から転写媒体を貼着した帯状フィルムを送り出して被転写体に対して転写媒体を転写すると共に該帯状フィルムを該筐体内に送る転写ローラと、転写ローラを通過した帯状フィルムを巻き取る巻取軸部とを備え、転写ローラと巻取軸部とにベルトを架けたのである。
【００１０】
すなわち、本発明は、従来のギヤ、及びこれらギヤ間に設けた連動ギヤを省略している。そして、転写媒体を貼着した帯状フィルムを従来のように送出リールに巻装することに代えて送出軸部自体に巻装し、転写ローラを通過後の帯状フィルムは、巻取軸部自体に巻き取って筐体内に収納するようにしている。
【００１１】
また、送出軸部を転写ローラの回転による帯状フィルムの張力でもって回転させ、また、転写ローラの回転力を巻取軸に架けたベルトでもって伝達して巻取軸部を回転させるようにしているので、ギヤや連動ギヤを必要とせず、よって筐体を小さくすることができ、また筐体を小さくしたにも拘わらず転写媒体の容量を減少させることがない。
【００１２】
【発明の実施の形態】
本発明の転写具は、筐体内に枢支され、転写媒体を貼着した帯状フィルムを巻装した送出軸部と、筐体の一端部に形成された開口に、送出軸部と平行に枢支され、該送出軸部から転写媒体を貼着した帯状フィルムを送り出して被転写体に対して転写媒体を転写すると共に該帯状フィルムを該筐体内に送る転写ローラと、送出軸部及び転写ローラと平行に枢支され、かつ該送出軸部より該転写ローラ側に位置し、転写ローラを通過した帯状フィルムを巻き取る巻取軸部とを備え、転写ローラと巻取軸部とにベルトを架けたものである。
【００１３】
上記の構成において、転写媒体とは、白色などの透明でない修正用の膜体、両面に粘着性を呈する塗膜など、をいう。そして、転写媒体は、転写ローラから未だ送り出されていない状態では帯状フィルムに貼着されており、転写ローラによって上記転写媒体を貼着した帯状フィルムが送出軸部から送り出され、該転写ローラによって被転写体に転写媒体が転写されると、該転写媒体は帯状フィルムから剥離し、転写媒体が剥離した後の帯状フィルムは、転写ローラを通過後、筐体内の巻取軸部に巻き取られる。
【００１４】
本発明の転写具は、筐体の開口から奥方に向けて、転写ローラ、巻取軸部、送出軸部の順に筐体に枢支されている。そして、転写ローラと巻取軸部にはベルトが架けられ、転写ローラの回転力は巻取軸部へと伝達されて巻取軸部が回転する。一方、送出軸部は、転写ローラの回転によって引き出される転写媒体を貼着した帯状フィルムの張力によって回転する。
【００１５】
本発明は、こうした構成によって、ギヤなどを必要とせず簡単な構成で確実に転写ローラ、巻取軸部、送出軸部を駆動することができ、転写媒体の容量を減少させることなく、また、使い勝手を損なうことなく、筐体の厚み方向、及び送出及び巻取軸部の軸方向に筐体を小さくすることができ、従って筆記具を収納する筆箱などに筆記具と共に収納することが可能となる。
【００１６】
【実施例】
以下に本発明の実施例について、本発明の転写具の構成を示す図１を参照して説明する。なお、以下の実施例では、例えば転写媒体として両面に粘着性を呈する塗膜を使用した場合を説明する。
【００１７】
図において、１は、被転写体（不図示）に塗膜Ｐを転写する本発明の転写具であり、以下のように構成されている。２は、転写具１の外形を構成し、後述する部材を収納した筐体であり、この筐体２は、図示する状態では、中央縦で２分割した一方のみを示している。また、筐体２は、その一端部に開口２ａが形成されている。
【００１８】
３は、表面側に塗膜Ｐが貼着された帯状フィルムＦを巻装した送出軸部としての送出軸であり、この送出軸３は、筐体２内で開口２ａの奥方側に位置し、回転可能に枢支されている。４は、筐体２内で開口２ａから送出軸３より手前側に位置し、後述する転写ローラ５を通過した帯状フィルムＦを巻き取る巻取軸部としての巻取軸である。
【００１９】
５は、開口２ａから露出した状態で設けた転写ローラであり、この転写ローラ５は、送出軸３から送り出された帯状フィルムＦの送出経路の途中箇所に位置し、該転写ローラ５を被転写体に押し付けて筐体２を移動させて、帯状フィルムＦを送出軸３から巻取軸４へと送ると共に、塗膜Ｐを被転写体に転写させる。６は、転写ローラ５のローラ軸の片面と帯状フィルムＦの巻取軸４の片面に架けられた例えばゴムでなるベルトである。
【００２０】
上記構成において、転写具１は、転写ローラ５を被転写体に押し付けた状態で筐体２を移動させると、被転写体との摩擦抵抗で転写ローラ５が回転し、これにより塗膜Ｐを貼着した状態の帯状フィルムＦが、転写ローラ５と被転写体との押し付け箇所にて、塗膜Ｐが被転写体に転写されると共に、塗膜Ｐの剥離した状態の帯状フィルムＦが巻取軸４へ送られる。
【００２１】
このとき、帯状フィルムＦが巻取軸４側へ引っ張られて送出軸３が回転し、新たに塗膜Ｐを貼着した帯状フィルムＦが順次送り出される。一方、転写ローラ５が回転すると、この転写ローラ５の回転力がベルト６を介して巻取軸４へと伝達されて該巻取軸４が回転して、転写ローラ５を通過し、塗膜Ｐの剥離した状態の帯状フィルムＦが該巻取軸４にて巻き取られる。
【００２２】
このように、転写具１は、転写ローラ５のローラ軸と帯状フィルムＦの巻取軸４に架けられたベルト６による回転力の伝達で帯状フィルムＦを巻き取るので、従来構成に存在したギヤ、さらにはこれらギヤ間に設けた連動ギヤを必要としないので、筐体２をその厚み方向及び送出軸３や巻取軸４の軸方向に小型化することができ、筆記具と共に筆箱などに収納することができる。
【００２３】
また、筐体２の大きさは、上記した構成とすることにより、塗膜Ｐの容量、つまり送出軸３の巻き量によって決定することができ、従来のように部材によって制限が加わることがなく、よって例えば送出軸３を、２つの軸間にベルトを架けて楕円状とすれば、筐体２を大きくすることなく塗膜Ｐの容量を増加することができる。
【００２４】
なお、上記実施例では、転写媒体として塗膜Ｐを使用した例を示したが、白色などの透明でない修正用の膜体においても、上記と同様の作用効果が得られることは言うまでもない。
【００２５】
【発明の効果】
以上説明したように、本発明の転写具は、筐体内に枢支され、転写媒体を貼着した帯状フィルムを巻装した送出軸部と、筐体の一端部に形成された開口に、送出軸部から転写媒体を貼着した帯状フィルムを送り出して被転写体に対して転写媒体を転写すると共に該帯状フィルムを該筐体内に送る転写ローラと、転写ローラを通過した帯状フィルムを巻き取る巻取軸部とを備え、転写ローラと巻取軸部とにベルトを架けたので、従来のギヤ、及びこれらギヤ間に設けた連動ギヤを省略して筐体を小さくして筆記具と共に筆箱などに収納することができ、また筐体を小さくしたにも拘わらず転写媒体の容量を減少させることがなく、また、使い勝手も損なうことがなく、さらに製作コストを削減することができる。
【図面の簡単な説明】
【図１】本発明の転写具の構成を示すために、縦中央で２分割した筐体の一方を取り外した状態の図である。
【図２】従来の転写具の構成を示すために、縦中央で２分割した筐体の一方を取り外した状態の図である。
【符号の説明】
１    転写具
２    筐体
３    送出軸（送出軸部）
４    巻取軸（巻取軸部）
５    転写ローラ
６    ベルト
Ｆ    帯状フィルム
Ｐ    塗膜
【図１】
0004194712.tif 000002
【図２】
0004194712.tif 000003